(57)【要約】【課題】  成形体にした場合、ウエルド外観とフローマーク外観に優れた成形体を得ることができ、かつ、流動性に優れ、高い剛性と耐衝撃性の良好なバランスを有するポリプロピレン系樹脂組成物およびそれからなる成形体を提供する。【解決手段】  ポリプロピレン樹脂９４〜５０重量％と、炭素数４〜１２のα−オレフィンとエチレンとを含有し、密度が０．８５０〜０．８７０ｇ／ｃｍ3、メルトフローレートが０．０５〜１ｇ／１０分であるエチレン−α−オレフィン共重合体ゴム１〜２５重量％と、無機充填剤５〜２５重量％とを含有するポリプロピレン系樹脂組成物であって、前記ポリプロピレン樹脂が、特定の要件を満足する結晶性プロピレン−エチレンブロック共重合体、または、前記ブロック共重合体と結晶性プロピレン単独重合体とを含有する重合体混合物であるポリプロピレン系樹脂組成物およびその成形体。【選択図】    なし【特許請求の範囲】
【請求項１】
ポリプロピレン樹脂（Ａ）９４〜５０重量％と、
炭素数４〜１２のα−オレフィンとエチレンとを含有し、密度が０．８５０〜０．８７０ｇ／ｃｍ3、メルトフローレート（２３０℃、２．１６ｋｇ荷重）が０．０５〜１ｇ／１０分であるエチレン−α−オレフィン共重合体ゴム（Ｂ）１〜２５重量％と、
無機充填剤（Ｃ）５〜２５重量％とを含有するポリプロピレン系樹脂組成物（ただし、ポリプロピレン系樹脂組成物の全量を１００重量％とする）であって、
前記ポリプロピレン樹脂（Ａ）が、下記の要件（１）と（２）と（３）と（４）とを満足する結晶性プロピレン−エチレンブロック共重合体（Ａ−１）、または、前記ブロック共重合体（Ａ−１）と結晶性プロピレン単独重合体（Ａ−２）とを含有する重合体混合物（Ａ−３）であるポリプロピレン系樹脂組成物。
要件（１）：
前記ブロック共重合体（Ａ−１）は、結晶性ポリプロピレン部分５５〜９０重量％と、プロピレン−エチレンランダム共重合体部分１０〜４５重量％とを含有する結晶性プロピレン−エチレンブロック共重合体である（ただし、前記ブロック共重合体の全量を１００重量％とする）。
要件（２）：
前記ブロック共重合体（Ａ−１）の結晶性ポリプロピレン部分が、
プロピレン単独重合体、または、
エチレンおよび炭素数４以上のα−オレフィンからなる群から選ばれる少なくとも１種のオレフィンと、プロピレンとの共重合体であり、
前記結晶性ポリプロピレン部分が、エチレンおよび炭素数４以上のα−オレフィンからなる群から選ばれる少なくとも１種のオレフィンと、プロピレンとの共重合体である場合、エチレンおよび炭素数４以上のα−オレフィンからなる群から選ばれる少なくとも１種のオレフィンの含有量が１モル％以下である（ただし、エチレンおよび炭素数４以上のα−オレフィンからなる群から選ばれる少なくとも１種のオレフィンと、プロピレンとの共重合体の全量を１００モル％とする）。
要件（３）：
前記ブロック共重合体（Ａ−１）のプロピレン−エチレンランダム共重合体部分に含有されるプロピレンとエチレンの含有量の比（プロピレン／エチレン（重量／重量））が、７０／３０〜５０／５０である。
要件（４）：
前記ブロック共重合体（Ａ−１）のプロピレン−エチレンランダム共重合体部分の極限粘度［η］EP-A-1が４〜５．５ｄｌ／ｇ以下である。
【請求項２】
ポリプロピレン樹脂（Ａ）が、さらに、結晶性プロピレン−エチレンブロック共重合体（Ａ−４）を含有し、前記ブロック共重合体（Ａ−４）に含有されるプロピレン−エチレンランダム共重合体部分の極限粘度［η］EP-A-4が２〜３ｄｌ／ｇである請求項１記載のポリプロピレン系樹脂組成物。
【請求項３】
前記ブロック共重合体（Ａ−１）に含有されるプロピレン−エチレンランダム共重合体部分の含有量が、ポリプロピレン系樹脂組成物の６重量％以下である請求項１記載のポリプロピレン系樹脂組成物（ただし、ポリプロピレン系樹脂組成物の全量を１００重量％とする）。
【請求項４】
無機充填剤（Ｃ）が、タルクである請求項１〜３のいずれかに記載のポリプロピレン系樹脂組成物。
【請求項５】
請求項１〜４のいずれかに記載のポリプロピレン系樹脂組成物からなる射出成形体。
【発明の詳細な説明】
【技術分野】
【０００１】
本発明は、ポリプロピレン系樹脂組成物およびそれからなる成形体に関するものである。さらに詳細には、成形体にした場合、ウエルド外観とフローマーク外観に優れた成形体を得ることができ、かつ、流動性に優れ、高い剛性と耐衝撃性の良好なバランスを有するポリプロピレン系樹脂組成物およびそれからなる成形体に関するものである。
【背景技術】
【０００２】
ポリプロピレン系樹脂組成物は、剛性や耐衝撃性等に優れる材料であることから、自動車内外装材や電気部品箱体等の成形体として、広範な用途に利用されている。
【０００３】
例えば、特開平９−７１７１１号公報には、成形加工性、機械的強度バランス並びに塗装性を有するプロピレン系樹脂組成物として、結晶性プロピレン単独重合体部分およびエチレン含量が２０〜８０重量％であるエチレン・プロピレンランダム共重合部分を含有し、メルトフローレート（ＭＦＲ）が２５〜１４０ｇ／１０分であるプロピレン・エチレンブロック共重合体と、ＭＦＲが０．５〜１５ｇ／１０分で、エチレン３連鎖分率が５５〜７０％であるエチレン・α−オレフィン共重合体と、タルクからなるプロピレン系樹脂組成物が記載されている。
【０００４】
また、特開２０００−２６６９７号公報には、射出成形加工性、物性バランスと共に低光沢性とウェルド外観を改良し、無塗装での製品化を目的として、結晶性ポリプロピレン単独重合体部分およびエチレン含量が３０重量％以上で、重量平均分子量が２００，０００〜１，０００，０００であるエチレン・プロピレン−ランダム共重合体部分とを含有するプロピレン・エチレン−ブロック共重合体と、ＭＦＲが０．０５〜１．２ｇ／１０分のエチレン・α−オレフィン共重合体ゴム或いはエチレン・α−オレフィン・ジエン共重合体ゴムと、タルクと、ＭＦＲが１１ｇ／１０分いい状の高密度ポリエチレンからなるプロピレン系樹脂組成物が記載されている。
【０００５】
そして、特開２０００−１７８３８９号公報には、流動性、低温耐衝撃性、外観および成形性を改良することを目的として、プロピレン単独重合体部分のＭＦＲが１００ｇ／１０分以上で、かつブロック共重合体全体のＭＦＲが５５〜２００ｇ／１０分であるプロピレン・エチレンブロック共重合体と、ＭＦＲが０．９ｇ／１０分未満であり、コモノマー含量が２８重量％以上であるエチレン・α−オレフィン共重合体ゴムと、タルクより構成されているポリプロピレン系樹脂が記載されている。
【０００６】
【特許文献１】特開平９−７１７１１号公報
【特許文献２】特開２０００−２６６９７号公報
【特許文献３】特開２０００−１７８３８９号公報
【発明の開示】
【発明が解決しようとする課題】
【０００７】
しかし、上記の公報等に記載のポリプロピレン系樹脂組成物を用いたとしても、さらに高い品質が望まれている自動車内外装部品等の分野では、更なる改良が必要で、ポリプロピレン系樹脂組成物については、その流動性、および、剛性と耐衝撃性のバランスの改良が求められており、成形体については、そのウエルド外観とフローマーク外観の改良が求められていた。
【０００８】
かかる状況の下、本発明の目的は、成形体にした場合、ウエルド外観とフローマーク外観に優れた成形体を得ることができ、かつ、流動性に優れ、高い剛性と耐衝撃性の良好なバランスを有するポリプロピレン系樹脂組成物およびそれからなる成形体を提供することにある。
【課題を解決するための手段】
【０００９】
本発明者は、鋭意検討した結果、本発明が、上記課題を解決できることを見出し、本発明を完成させるに至った。
すなわち、本発明は、
ポリプロピレン樹脂（Ａ）９４〜５０重量％と、
炭素数４〜１２のα−オレフィンとエチレンとを含有し、密度が０．８５０〜０．８７０ｇ／ｃｍ3、メルトフローレート（２３０℃、２．１６ｋｇ荷重）が０．０５〜１ｇ／１０分であるエチレン−α−オレフィン共重合体ゴム（Ｂ）１〜２５重量％と、
無機充填剤（Ｃ）５〜２５重量％とを含有するポリプロピレン系樹脂組成物（ただし、ポリプロピレン系樹脂組成物の全量を１００重量％とする）であって、
前記ポリプロピレン樹脂（Ａ）が、下記の要件（１）と（２）と（３）と（４）とを満足する結晶性プロピレン−エチレンブロック共重合体（Ａ−１）、または、前記ブロック共重合体（Ａ−１）と結晶性プロピレン単独重合体（Ａ−２）とを含有する重合体混合物（Ａ−３）であるポリプロピレン系樹脂組成物に係るものである。
要件（１）：
前記ブロック共重合体（Ａ−１）は、結晶性ポリプロピレン部分５５〜９０重量％と、プロピレン−エチレンランダム共重合体部分１０〜４５重量％とを含有する結晶性プロピレン−エチレンブロック共重合体である（ただし、前記ブロック共重合体の全量を１００重量％とする）。
要件（２）：
前記ブロック共重合体（Ａ−１）の結晶性ポリプロピレン部分が、
プロピレン単独重合体、または、
エチレンおよび炭素数４以上のα−オレフィンからなる群から選ばれる少なくとも１種のオレフィンと、プロピレンとの共重合体であり、
前記結晶性ポリプロピレン部分が、エチレンおよび炭素数４以上のα−オレフィンからなる群から選ばれる少なくとも１種のオレフィンと、プロピレンとの共重合体である場合、エチレンおよび炭素数４以上のα−オレフィンからなる群から選ばれる少なくとも１種のオレフィンの含有量が１モル％以下である（ただし、エチレンおよび炭素数４以上のα−オレフィンからなる群から選ばれる少なくとも１種のオレフィンと、プロピレンとの共重合体の全量を１００モル％とする）。
要件（３）：
前記ブロック共重合体（Ａ−１）のプロピレン−エチレンランダム共重合体部分に含有されるプロピレンとエチレンの含有量の比（プロピレン／エチレン（重量／重量））が、７０／３０〜５０／５０である。
要件（４）：
前記ブロック共重合体（Ａ−１）のプロピレン−エチレンランダム共重合体部分の極限粘度［η］EP-A-1が４〜５．５ｄｌ／ｇ以下である。
【発明の効果】
【００１０】
本発明によれば、流動性に優れ、高い剛性と耐衝撃性の良好なバランスを有するポリプロピレン系樹脂組成物、および、ウエルド外観とフローマーク外観に優れた成形体を得ることができる。
【発明を実施するための最良の形態】
【００１１】
本発明のポリプロピレン系樹脂組成物は、ポリプロピレン樹脂（Ａ）９４〜５０重量％と、エチレン−α−オレフィン共重合体ゴム（Ｂ）１〜２５重量％と、無機充填剤（Ｃ）５〜２５重量％とを含有するポリプロピレン系樹脂組成物（ただし、ポリプロピレン系樹脂組成物の全量を１００重量％とする）である。
【００１２】
前記ポリプロピレン樹脂（Ａ）は、結晶性プロピレン−エチレンブロック共重合体（Ａ−１）、または、前記ブロック共重合体（Ａ−１）と結晶性プロピレン単独重合体（Ａ−２）とを含有する重合体混合物（Ａ−３）である。
【００１３】
前記ブロック共重合体（Ａ−１）は、結晶性ポリプロピレン部分５５〜９０重量％と、プロピレン−エチレンランダム共重合体部分１０〜４５重量％とを含有する結晶性プロピレン−エチレンブロック共重合体である（要件（１）、ただし、前記ブロック共重合体の全量を１００重量％とする）。
【００１４】
好ましくは、結晶性ポリプロピレン部分６５〜９０重量％と、プロピレン−エチレンランダム共重合体部分１０〜３５重量％とを含有するブロック共重合体であり、より好ましくは、結晶性ポリプロピレン部分７０〜８５重量％と、プロピレン−エチレンランダム共重合体部分１５〜３０重量％とを含有するブロック共重合体である。
【００１５】
結晶性ポリプロピレン部分が５５重量％未満の場合（すなわちプロピレン−エチレンランダム共重合体部分が４５重量％を超えた場合）、剛性や硬度が低下したり、メルトフローレート（ＭＦＲ）が低下して十分な成形性が得られないことがあり、結晶性ポリプロピレン部分が９０重量％を超えた場合（すなわちプロピレン−エチレンランダム共重合体部分が１０重量％未満の場合）、靭性や耐衝撃性が低下することがある。
【００１６】
前記ブロック共重合体（Ａ−１）の結晶性ポリプロピレン部分は、
プロピレン単独重合体、または、
エチレンおよび炭素数４以上のα−オレフィンからなる群から選ばれる少なくとも１種のオレフィンと、プロピレンとの共重合体であり、
前記結晶性ポリプロピレン部分が、エチレンおよび炭素数４以上のα−オレフィンからなる群から選ばれる少なくとも１種のオレフィンと、プロピレンとの共重合体である場合、エチレンおよび炭素数４以上のα−オレフィンからなる群から選ばれる少なくとも１種のオレフィンの含有量が１モル％以下である（ただし、エチレンおよび炭素数４以上のα−オレフィンからなる群から選ばれる少なくとも１種のオレフィンと、プロピレンとの共重合体の全量を１００モル％とする）。
【００１７】
前記ブロック共重合体（Ａ−１）の結晶性ポリプロピレン部分が、エチレンおよび炭素数４以上のα−オレフィンからなる群から選ばれる少なくとも１種のオレフィンと、プロピレンとの共重合体である場合に、エチレンおよび炭素数４以上のα−オレフィンからなる群から選ばれる少なくとも１種のオレフィンの含有量が、１モル％を超えると、剛性、耐熱性または硬度が低下することがある。
【００１８】
前記ブロック共重合体（Ａ−１）の結晶性ポリプロピレン部分として、好ましくは、剛性、耐熱性または硬度の観点から、プロピレン単独重合体であり、より好ましくは、13Ｃ−ＮＭＲによって測定されるアイソタクチック・ペンタッド分率が０．９７以上のプロピレン単独重合体である。さらに好ましくは、アイソタクチック・ペンタッド分率が０．９８以上のプロピレン単独重合体である。
【００１９】
アイソタクチック・ペンタッド分率とは、Ａ．ＺａｍｂｅｌｌｉらによってＭａｃｒｏｍｏｌｅｃｕｌｅｓ，６，９２５（１９７３）に記載されている方法、すなわち13Ｃ−ＮＭＲを使用して測定されるポリプロピレン分子鎖中のペンタッド単位でのアイソタクチック連鎖、換言すればプロピレンモノマー単位が５個連続してメソ結合した連鎖の中心にあるプロピレンモノマー単位の分率である（ただし、ＮＭＲ吸収ピークの帰属に関しては、その後、発刊されたＭａｃｒｏｍｏｌｅｃｕｌｅｓ，  ８，６８７（１９７５）に基づいて行う）。具体的には13Ｃ−ＮＭＲスペクトルのメチル炭素領域の全吸収ピーク中のｍｍｍｍピークの面積分率としてアイソタクチック・ペンタッド分率を測定する。この方法によって、英国  ＮＡＴＩＯＮＡＬ  ＰＨＹＳＩＣＡＬ  ＬＡＢＯＲＡＴＯＲＹのＮＰＬ標準物質  ＣＲＭ  Ｎｏ．Ｍ１９−１４  Ｐｏｌｙｐｒｏｐｙｌｅｎｅ  ＰＰ／ＭＷＤ／２のアイソタクチック・ペンタッド分率を測定したところ、０．９４４であった。
【００２０】
前記ブロック共重合体（Ａ−１）の結晶性ポリプロピレン部分の極限粘度［η］Pは、溶融時の流動性と成形体の靭性とのバランスを良好にするという観点から、好ましくは０．７〜１．３ｄｌ／ｇであり、より好ましくは０．８５〜１．１ｄｌ／ｇである。
また、前記ブロック共重合体（Ａ−１）の結晶性ポリプロピレン部分のゲル・パーミエーション・クロマトグラフィー（ＧＰＣ）で測定された分子量分布（Ｑ値、Ｍｗ／Ｍｎ）として、好ましくは３以上７未満であり、より好ましくは３〜５である。
【００２１】
前記ブロック共重合体（Ａ−１）のプロピレン−エチレンランダム共重合体部分に含有されるプロピレンとエチレンの含有量の比（プロピレン／エチレン（重量／重量））は、良好な剛性と耐衝撃性のバランスを得るという観点から、７０／３０〜５０／５０であり（要件（３））、好ましくは６５／３５〜５５／４５である。
【００２２】
前記ブロック共重合体（Ａ−１）のプロピレン−エチレンランダム共重合体部分の極限粘度［η］EP-A-1は、ウエルドラインの発生を防止し（ウエルド外観に優れ）、かつフローマークの発生を防止し（フローマーク外観に優れ）、さらに良好な剛性と耐衝撃性のバランスを得るという観点から、４．０ｄｌ／ｇ以上５．５ｄｌ／ｇ以下であり（要件（４））、好ましくは４．５〜５．３である。
【００２３】
結晶性プロピレン−エチレンブロック共重合体（Ａ−１）のメルトフローレート（ＭＦＲ）は、成形性や耐衝撃性を高めるという観点から、好ましくは１０〜１２０ｇ／１０分であり、より好ましくは２０〜５３ｇ／１０分である。
【００２４】
結晶性プロピレン−エチレンブロック共重合体（Ａ−１）の製造方法としては、例えば、（ａ）マグネシウム、チタン、ハロゲンおよび電子供与体を必須成分として含有する固体触媒成分、（ｂ）有機アルミニウム化合物、および（ｃ）電子供与体成分を接触させて得られる触媒系を用い、公知の重合方法によって製造する方法が挙げられる。この触媒の製造方法は、例えば、特開平１−３１９５０８号公報、特開平７−２１６０１７号公報、特開平１０−２１２３１９号公報等に記載の方法が挙げられる。
【００２５】
結晶性プロピレン−エチレンブロック共重合体（Ａ−１）の重合方法としては、例えば、
少なくとも２段階の重合工程からなり、第１工程で結晶性ポリプロピレン部分を製造した後、第２工程で、エチレン含有量が３０重量％以上５０重量％以下であり、極限粘度［η］EPが４．０ｄｌ／ｇ以上５．５ｄｌ／ｇ以下であるプロピレン−エチレンランダム共重合体成分を製造する方法等が挙げられる。
【００２６】
重合方法としては、例えば、バルク重合法、溶液重合法、スラリー重合法、気相重合法等が挙げられる。これらの重合方法は、バッチ式、連続式のいずれでも可能であり、また、これらの重合方法を任意に組合せもよい。工業的かつ経済的に有利であるという観点から、好ましくは、連続式の気相重合法、連続式のバルク−気相重合法である。
【００２７】
より具体的な製造方法としては、
(１)前述の固体触媒成分（ａ）、有機アルミニウム化合物（ｂ）および電子供与体成分（ｃ）を接触させて得られる触媒系の存在下に、少なくとも２槽からなる重合槽を直列に配置し、１槽目の重合槽で結晶性ポリプロピレン部分を製造した後、生成物を第２槽目の重合槽に移し、第２槽目の重合槽でエチレン含有量が３０重量％以上５０重量％以下であり、極限粘度［η］EPが４．０ｄｌ／ｇ以上５．５ｄｌ／ｇ以下であるプロピレン−エチレンランダム共重合体成分を連続的に製造する方法、
（２）前述の固体触媒成分（ａ）、有機アルミニウム化合物（ｂ）および電子供与体成分（ｃ）を接触させて得られる触媒系の存在下に、少なくとも４槽からなる重合槽を直列に配置し、１〜２槽目の重合槽で結晶性ポリプロピレン部分を製造した後、生成物を第３槽目の重合槽に移し、第３〜４槽目の重合槽でエチレン含有量が３０重量％以上５０重量％以下であり、極限粘度［η］EPが４．０ｄｌ／ｇ以上５．５ｄｌ／ｇ以下であるプロピレン−エチレンランダム共重合体成分を連続的に製造する方法、
等が挙げられる。
【００２８】
上記の重合方法における固体触媒成分（ａ）、有機アルミニウム化合物（ｂ）および電子供与体成分（ｃ）の使用量や、各触媒成分を重合槽へ供給する方法は、公知の触媒の使用方法によって、適宜、決めることができる。
【００２９】
重合温度は、通常、−３０〜３００℃であり、好ましくは２０〜１８０℃である。重合圧力は、通常、常圧〜１０ＭＰａであり、好ましくは０．２〜５ＭＰａである。また、分子量調整剤として、例えば、水素を用いても良い。
【００３０】
結晶性プロピレン−エチレンブロック共重合体（Ａ−１）の製造において、本重合を実施する前に、公知の方法によって、予備重合を行っても良い。公知の予備重合の方法としては、例えば、固体触媒成分（ａ）および有機アルミニウム化合物（ｂ）の存在下、少量のプロピレンを供給して溶媒を用いてスラリー状態で実施する方法が挙げられる。
【００３１】
前記ブロック共重合体（Ａ−１）には、必要に応じて、各種添加剤を加えてもよい。添加剤としては、例えば、酸化防止剤、紫外線吸収剤、滑剤、顔料、帯電防止剤、銅害防止剤、難燃剤、中和剤、発泡剤、可塑剤、造核剤、気泡防止剤、架橋剤等が挙げられる。これらの添加剤の中でも、耐熱性、耐候性、耐酸化安定性を向上させるためには、酸化防止剤や紫外線吸収剤を添加することが好ましい。
【００３２】
前記ブロック共重合体共重合体（Ａ−１）は、前記の製造方法によって得られた重合体の他、前記の製造方法によって得られた重合体に、過酸化物を配合し溶融混練して分解処理して得られた重合体でもよい。
過酸化物を配合し溶融混練して分解処理して得られた重合体に含有されるプロピレン−エチレンランダム共重合体部分の極限粘度［η］EP-Aは、分解処理して得られた重合体のペレットの２０℃キシレン可溶成分の極限粘度を測定することによって求められる。
【００３３】
過酸化物としては、一般に有機系過酸化物が用いられ、過酸化アルキル類、過酸化ジアシル類、過酸化エステル類および過酸化カーボネート類等が挙げられる。
過酸化アルキル類としては、例えば、ジクミルパーオキサイド、ジ−ｔ―ブチルパーオキサイド、ジ−ｔ―ブチルクミルパーオキサイド、２，５−ジメチル−２，５−ジ（ｔ−ブチルパーオキシ）ヘキサン、２，５−ジメチル−２，５−ジ（ｔ−ブチルパーオキシ）ヘキシン−３、ｔ−ブチルクミル、１，３−ビス（ｔ−ブチルパーオキシイソプロピル）ベンゼン、３，６，９−トリエチル−３，６，９−トリメチル−１，４，７−トリパーオキソナン等が挙げられる。
【００３４】
過酸化ジアシル類としては、例えば、ベンゾイルパーオキサイド、ラウロイルパーオキサイド、デカノイルパーオキサイド等が挙げられる。
過酸化エステル類としては、例えば、１，１，３，３−テトラメチルブチルパーオキシネオデカノエート、α−クミルパーオキシネオデカノエート、ｔ−ブチルパーオキシネオデカノエート、ｔ−ブチルパーオキシネオヘプタノエート、ｔ−ブチルパーオキシピバレート、ｔ―ヘキシルパーオキシピバレート、１，１，３，３−テトラメチルブチルパーオキシ−２−エチルヘキサノエート、ｔ−アミルパーオキシル−２−エチルヘキサノエート、ｔ−ブチルーパーオキシ−２−エチルヘキサノエート、ｔ−ブチルパーオキシイソブチレート、ジ−ｔ−ブチルパーオキシヘキサヒドロテレフタレート、ｔ−アミルパーオキシ３，５，５―トリメチルヘキサノエート、ｔ−ブチルパーオキシ３，５，５―トリメチルヘキサノエート、ｔ−ブチルパーオキシアセテート、ｔ−ブチルパーオキシベンゾエート、ジ−ブチルパーオキシトリメチルアディペート等が挙げられる。
【００３５】
過酸化カーボネート類としては、例えば、ジ−３−メトキシブチルパーオキシジカーボネート、ジ（２−エチルヘキシル）パーオキシジカーボネート、ジイソプロピルパーオキシカーボネート、ｔ−ブチルパーオキシイソプロピルカーボネート、ジ（４−ｔ−ブチルシクロヘキシル）パーオキシジカーボネート、ジセチル  パーオキシジカーボネート、ジミリスチルパーオキシジカーボネート等が挙げられる。
【００３６】
前記ブロック共重合体（Ａ−１）に含有されるプロピレン−エチレンランダム共重合体部分の含有量は、ウエルド外観とフローマーク外観とのバランスを改良するという観点から、好ましくは、ポリプロピレン系樹脂組成物の６重量％以下である（ただし、ポリプロピレン系樹脂組成物の全量を１００重量％とする）。
【００３７】
本発明のポリプロピレン系樹脂組成物に含有されるポリプロピレン樹脂（Ａ）としては、前記ブロック共重合体（Ａ−１）を単独で用いてもよく、前記ブロック共重合体（Ａ−１）と結晶性プロピレン単独重合体（Ａ−２）とを含有する重合体混合物（Ａ−３）を用いても良い。
【００３８】
重合体混合物（Ａ−３）に含有される前記ブロック共重合体（Ａ−１）の含有量は、通常、３０〜９９重量％であり、前記単独重合体（Ａ−２）の含有量は、通常、１〜７０重量％であり、好ましくは、前記ブロック共重合体（Ａ−１）の含有量が４５〜９０重量％であり、前記単独重合体（Ａ−２）の含有量が５５〜１０重量％である。
【００３９】
前記単独重合体（Ａ−２）として、好ましくは、アイソタクチック・ペンタッド分率が９７％以上の単独重合体であり、より好ましくは９８％以上の単独重合体である。
【００４０】
前記単独重合体（Ａ−２）のメルトフローレート（ＭＦＲ：２３０℃、荷重２１６０ｇ）は、通常、１０〜５００ｇ／１０分であり、好ましくは４０〜３５０ｇ／１０分である。
【００４１】
前記単独重合体（Ａ−２）の製造方法としては、前記ブロック共重合体（Ａ−１）と同様の触媒を用いる製造方法が挙げられる。
【００４２】
本発明のポリプロピレン系樹脂組成物に含有されるポリプロピレン樹脂（Ａ）の含有量は、９４〜５０重量％であり、好ましくは９０〜５５重量％であり、より好ましくは８５〜６０重量％である（ただし、ポリプロピレン系樹脂組成物の全量を１００重量％とする）。
ポリプロピレン樹脂（Ａ）の含有量が５０重量％未満である場合、剛性が低下することがあり、９３重量％を超えると、衝撃強度が低下することがある。
【００４３】
ポリプロピレン樹脂（Ａ）には、ウエルド外観とフローマーク外観および機械物性とのバランスをさらに改良する観点から、プロピレン−エチレンランダム共重合体部分の極限粘度［η］EP-A-4が、２〜３ｄｌ／ｇである結晶性プロピレン−エチレンブロック共重合体（Ａ−４）を添加しても良い。
前記ブロック共重合体（Ａ−４）として、さらに好ましくは、プロピレン−エチレンランダム共重合体部分の極限粘度［η］EP-A-4が２〜３ｄｌ／ｇであり、プロピレン−エチレンランダム共重合体部分のエチレン含有量が３５〜５０重量％である結晶性プロピレン−エチレンブロック共重合体である。
【００４４】
本発明で用いられるエチレン−α−オレフィン共重合体ゴム（Ｂ）は、炭素数４〜１２のα−オレフィンとエチレンとを含有し、密度が０．８５０〜０．８７０ｇ／ｃｍ3であり、メルトフローレート（２３０℃、２．１６ｋｇ荷重）が０．０５〜１ｇ／１０分であるエチレン−α−オレフィン共重合体ゴムである。
炭素数４〜１２のα−オレフィンとしては、例えば、ブテン−１、ペンテン−１、ヘキセン−１、ヘプテン−１、オクテン−１、デセン等が挙げられ、好ましくは、ブテン−１、ヘキセン−１、オクテン−１である。
【００４５】
前記共重合体ゴム（Ｂ）に含有されるα−オレフィンの含有量は、衝撃性強度、特に低温衝撃強度を高めるという観点から、通常、２０〜５０重量％であり、好ましくは、２４〜５０重量％である（ただし、前記共重合体ゴム（Ｂ）の全量を１００重量％とする）。
【００４６】
前記共重合体ゴムとしては、例えば、エチレン−ブテン−１ランダム共重合体ゴム、エチレン−ヘキセン−１ランダム共重合体ゴム、エチレン−オクテン−１ランダム共重合体ゴム等が挙げられ、好ましくは、エチレン−オクテン−１ランダム共重合体ゴムまたはエチレン−ブテン−１ランダム共重合体ゴムである。また、少なくとも２種のエチレン−α−オレフィンランダム共重合体ゴムを併用しても良い。
【００４７】
前記共重合体ゴム（Ｂ）の密度は、良好な剛性と耐衝撃性のバランスを得るという観点から、０．８５０〜０．８７０ｇ／ｃｍ3であり、好ましくは０．８５０〜０．８６５ｇ／ｃｍ3である。
【００４８】
前記共重合体ゴム（Ｂ）のメルトフローレート（２３０℃、２．１６ｋｇ荷重）は、ウエルドラインの発生を防止し（ウエルド外観に優れ）、かつ、良好な剛性と耐衝撃性のバランスを得るという観点から、０．０５〜１ｇ／１０分であり、好ましくは、０．２〜１ｇ／１０分である。
【００４９】
前記共重合体ゴム（Ｂ）の製造方法としては、公知の触媒と公知の重合方法を用いて、エチレンと各種のα−オレフィンを共重合させることによって製造する方法が挙げられる。
公知の触媒としては、例えば、バナジウム化合物と有機アルミニウム化合物からなる触媒系、チーグラーナッタ触媒系又はメタロセン触媒系等が挙げられ、公知の重合方法としては、溶液重合法、スラリー重合法、高圧イオン重合法又は気相重合法等が挙げられる。
【００５０】
本発明のポリプロピレン系樹脂組成物に含有される前記共重合体ゴム（Ｂ）の含有量は、１〜２５重量％であり、好ましくは３〜２２重量％であり、より好ましくは５〜２２重量％である（ただし、ポリプロピレン系樹脂組成物の全量を１００重量％とする）。
前記共重合体ゴム（Ｂ）の含有量が１重量％未満である場合、ウエルド外観が不十分であったり、衝撃強度が低下することがあり、２５重量％を超えると、剛性が低下することがある。
【００５１】
本発明で用いられる無機充填剤（Ｃ）は、通常、ポリプロピレン系樹脂組成物の剛性を向上させるために用いられるものであり、例えば、炭酸カルシウム、硫酸バリウム、マイカ、結晶性ケイ酸カルシウム、タルク、硫酸マグネシウム繊維等が挙げられ、好ましくはタルクまたは硫酸マグネシウム繊維である。より好ましくはタルクである。これらの無機充填剤は、少なくとも２種を併用しても良い。
【００５２】
無機充填剤（Ｃ）として用いられるタルクとして、好ましくは、含水ケイ酸マグネシウムを粉砕したものである。含水ケイ酸マグネシウムの分子の結晶構造は、パイロフィライト型三層構造であり、タルクはこの構造が積み重なったものである。タルクとして、より好ましくは、含水ケイ酸マグネシウムの分子の結晶を単位層程度にまで微粉砕した平板状のものである。
【００５３】
上記のタルクの平均粒子径として、好ましくは３μｍ以下である。ここでタルクの平均粒子径とは、遠心沈降式粒度分布測定装置を用いて水またはアルコールである分散媒中に懸濁させて測定した篩下法の積分分布曲線から求めた５０％相当粒子径Ｄ50のことを意味する。
【００５４】
上記のタルクは、無処理のまま使用しても良く、または、ポリプロピレン樹脂（Ａ）との界面接着性や、ポリプロピレン樹脂（Ａ）に対する分散性を向上させるために、公知の各種の界面活性剤で表面を処理して使用しても良い。界面活性剤としては、例えば、シランカップリング剤、チタンカップリング剤、高級脂肪酸、高級脂肪酸エステル、高級脂肪酸アミド、高級脂肪酸塩類等が挙げられる。
【００５５】
無機充填剤（Ｃ）として用いられる硫酸マグネシウム繊維の平均繊維長として、好ましくは５〜５０μｍであり、より好ましくは１０〜３０μｍである。また、硫酸マグネシウム繊維の平均繊維径として、好ましくは０．３〜２μｍであり、より好ましくは０．５〜１μｍである。
【００５６】
本発明のポリプロピレン系樹脂組成物に含有される無機充填剤（Ｃ）の含有量は、５〜２５重量％であり、好ましくは７〜２３重量％であり、より好ましくは１０〜２２重量％である（ただし、ポリプロピレン系樹脂組成物の全量を１００重量％とする）。
無機充填剤（Ｃ）の含有量が５重量％未満である場合、剛性が低下することがあり、２５重量％を超えると、衝撃強度が低下することがある。
【００５７】
本発明のポリプロピレン系樹脂組成物の製造方法としては、各成分を溶融混練する方法が挙げられ、例えば、一軸押出機、二軸押出機、バンバリーミキサー、熱ロール等の混練機を用いる方法等が挙げられる。混練の温度は、通常、１７０〜２５０℃であり、時間は、通常、１〜２０分である。また、各成分の混練は同時に行なっても良く、分割して行なっても良い、
【００５８】
各成分を分割して混練する方法としては、例えば、次の（１）、（２）、（３）の方法が挙げられる。
（１）前記ブロック共重合体（Ａ−１）を事前に混練してペレット化し、同ペレットと前記共重合体ゴム（Ｂ）と無機充填剤（Ｃ）とを一括して、混練する方法。
（２）前記ブロック共重合体（Ａ−１）を事前に混練してペレット化し、同ペレットと前記単独重合体（Ａ−２）と前記共重合体ゴム（Ｂ）と無機充填剤（Ｃ）とを一括して、混練する方法。
（３）前記ブロック共重合体（Ａ−１）と前記共重合体ゴム（Ｂ）とを混練した後、無機充填剤（Ｃ）を添加し、混練する方法。
（４）前記ブロック共重合体（Ａ−１）と無機充填剤（Ｃ）を混練した後、前記共重合体ゴム（Ｂ）を添加し、混練する方法。
なお、上記（３）または（４）の方法において、結晶性プロピレン単独重合体（Ａ−２）を、任意に添加しても良い。
【００５９】
本発明のポリプロピレン系樹脂組成物には、必要に応じて、各種添加剤を加えてもよい。添加剤としては、例えば、酸化防止剤、紫外線吸収剤、滑剤、顔料、帯電防止剤、銅害防止剤、難燃剤、中和剤、発泡剤、可塑剤、造核剤、気泡防止剤、架橋剤等が挙げられる。耐熱性、耐候性、耐酸化安定性を向上させるためには、酸化防止剤または紫外線吸収剤を添加することが好ましい。
【００６０】
本発明のポリプロピレン系樹脂組成物には、機械物性のバランスをさらに改良するために、ビニル芳香族化合物含有ゴムを添加しても良い。
ビニル芳香族化合物含有ゴムとしては、例えば、ビニル芳香族化合物重合体ブロックと共役ジエン系重合体ブロックからなるブロック共重合体等が挙げられ、その共役ジエン部分の二重結合の水素添加率として、好ましくは８０重量％以上であり、より好ましくは８５重量％以上である（ただし、共役ジエン部分に含有される二重結合の全量を１００重量％とする）。
【００６１】
上記のビニル芳香族化合物含有ゴムのＧＰＣ（ゲルパーミュエーションクロマトグラフィー）法によって測定される分子量分布（Ｑ値）として、好ましくは２．５以下であり、より好ましくは１〜２．３以下である。
【００６２】
上記のビニル芳香族化合物含有ゴムに含有されるビニル芳香族化合物の含有量として、好ましくは１０〜２０重量％であり、より好ましくは１２〜１９重量％である（ただし、ビニル芳香族化合物含有ゴムの全量を１００重量％とする）。
【００６３】
上記のビニル芳香族化合物含有ゴムのメルトフローレート（ＭＦＲ、ＪＩＳ−Ｋ−６７５８、２３０℃）として、好ましくは０．０１〜１５ｇ／１０分であり、より好ましくは０．０３〜１３ｇ／１０分である。
【００６４】
上記のビニル芳香族化合物含有ゴムとしては、例えば、スチレン−エチレン−ブテン−スチレン系ゴム（ＳＥＢＳ）、スチレン−エチレン−プロピレン−スチレン系ゴム（ＳＥＰＳ）、スチレン−ブタジエン系ゴム（ＳＢＲ）、スチレン−ブタジエン−スチレン系ゴム（ＳＢＳ）、スチレン−イソプレン−スチレン系ゴム（ＳＩＳ）等のブロック共重合体、または、これらのブロック共重合体を水添したブロック共重合体等が挙げられる。さらに、エチレン−プロピレン−非共役ジエン系ゴム（ＥＰＤＭ）にスチレン等のビニル芳香族化合物を反応させたゴムも挙げられる。また、少なくとも２種のビニル芳香族化合物含有ゴムを併用しても良い。
【００６５】
上記のビニル芳香族化合物含有ゴムの製造方法としては、例えば、オレフィン系共重合体ゴムまたは共役ジエンゴムに対し、ビニル芳香族化合物を、重合または反応等によって結合させる方法等が挙げられる。
【００６６】
本発明の射出成形体は、本発明のポリプロピレン系樹脂組成物を、公知の射出成形方法によって、射出成形して得られる射出成形体である。
本発明の射出成形体の用途として、好ましくは自動車用射出成形体であり、例えば、ド  
【００６７】
アートリム、ピラー、インストルメンタルパネル、バンパー等が挙げられる。
【実施例】
【００６８】
以下、実施例および比較例によって、本発明を説明する。実施例および比較例で用いた重合体および組成物の物性の測定方法を、以下に示した。
（１）極限粘度（単位：ｄｌ／ｇ）
ウベローデ型粘度計を用いて濃度０．１、０．２および０．５ｇ／ｄｌの３点について還元粘度を測定した。極限粘度は、「高分子溶液、高分子実験学１１」（１９８２年共立出版株式会社刊）第４９１頁に記載の計算方法すなわち、還元粘度を濃度に対しプロットし、濃度をゼロに外挿する外挿法によって求めた。テトラリンを溶媒として用いて、温度１３５℃で測定した。
【００６９】
（１−１）結晶性プロピレン−エチレンブロック共重合体の極限粘度
（１−１ａ）結晶性ポリプロピレン部分の極限粘度：［η］P
結晶性プロピレン−エチレンブロック共重合体に含有される結晶性ポリプロピレン部分の極限粘度［η］Pは、結晶性プロピレン−エチレンブロック共重合体の製造時に、第１工程である結晶性ポリプロピレン部分の重合後に、重合槽内より重合体パウダーを取り出し、上記（１）の方法で測定して求めた。
【００７０】
（１−１ｂ）プロピレン−エチレンランダム共重合体部分の極限粘度：［η］EP
結晶性プロピレン−エチレンブロック共重合体に含有されるプロピレン−エチレンランダム共重合体部分の極限粘度［η］EPは、プロピレン単独重合体部分の極限粘度［η］Pとプロピレン−エチレンブロック共重合体全体の極限粘度［η］Tを、それぞれ上記（１）の方法で測定し、プロピレン−エチレンランダム共重合体部分のプロピレン−エチレンブロック共重合体全体に対する重量比率Ｘを用いて、次式から算出して求めた。（プロピレン−エチレンブロック共重合体全体に対する重量比率Ｘは、下記（２）の測定方法によって求めた。）
［η］EP＝［η］T／Ｘ−（１／Ｘ−１）［η］P
［η］P：プロピレン単独重合体部分の極限粘度（ｄｌ／ｇ）
［η］T：プロピレン−エチレンブロック共重合体全体の極限粘度（ｄｌ／ｇ）
【００７１】
過酸化物で熱分解処理した結晶性プロピレン−エチレンブロック共重合体に含有されるプロピレン−エチレンランダム共重合体部分の極限粘度［η］EPは、下記方法で得た２０℃キシレン可溶成分の極限粘度を測定し、その値を用いた。
［２０℃キシレン可溶成分］
結晶性プロピレン−エチレンブロック共重合体５ｇを沸騰キシレン５００ｍｌに完全に溶解させた後、２０℃に降温し４時間放置する。その後これを濾別し、２０℃キシレン不溶部を分離した。濾液を濃縮、乾固してキシレンを蒸発させ、さらに減圧下６０℃で乾燥して、２０℃のキシレンに可溶な重合体成分を得た。
【００７２】
（２）プロピレン−エチレンランダム共重合体部分のプロピレン−エチレンブロック共重合体全体に対する重量比率：Ｘ、および、プロピレン−エチレンブロック共重合体中のプロピレン−エチレンランダム共重合体部分のエチレン含量：［（Ｃ２’）EP］
下記の条件で測定した13Ｃ−ＮＭＲスペクトルから、Ｋａｋｕｇｏらの報告（Ｍａｃｒｏｍｏｌｅｃｕｌｅｓ  １９８２，１５，１１５０−１１５２）に基づいて求めた。
１０ｍｍΦの試験管中で約２００ｍｇのプロピレン−エチレンブロック共重合体を３ｍｌのオルソジクロロベンゼンに均一に溶解させて試料を調整し、その試料の13Ｃ−ＮＭＲスペクトルを下記の条件下で測定した。
測定温度：１３５℃
パルス繰り返し時間：１０秒
パルス幅：４５°
積算回数：２５００回
【００７３】
（３）メルトフローレート（ＭＦＲ、単位：ｇ／１０分）
ＪＩＳ−Ｋ−６７５８に規定された方法に従って、測定した。特に断りのない限り、測定温度は２３０℃で、荷重は２．１６ｋｇで測定した。
【００７４】
（４）引っ張り試験（破断伸び（ＵＥ）、単位：％）
ＡＳＴＭ  Ｄ６３８に規定された方法に従って、測定した。射出成形により成形された厚みが３．２ｍｍである試験片を用いて、引っ張り速度は２０ｍｍ／分で、破断伸び（ＵＥ）を評価した。
【００７５】
（５）曲げ弾性率（ＦＭ、単位：ＭＰａ）
ＪＩＳ−Ｋ−７２０３に規定された方法に従って、測定した。射出成形により成形された厚みが６．４ｍｍであり、スパン長さが１００ｍｍである試験片を用いて、荷重速度は２．０ｍｍ／分で、測定温度は２３℃で測定した。
【００７６】
（６）アイゾット衝撃強度（Ｉｚｏｄ、単位：ｋＪ／ｍ2）
ＪＩＳ−Ｋ−７１１０に規定された方法に従って、測定した。射出成形により成形された厚みが６．４ｍｍであり、成形の後にノッチ加工されたノッチ付きの試験片を用いて、測定温度は２３℃または−３０℃で測定した。
【００７７】
（７）加熱変形温度（ＨＤＴ、単位：℃）
ＪＩＳ−Ｋ−７２０７に規定された方法に従って、測定した。ファイバーストレスは１．８２ｋｇ／ｃｍ2で測定した。
【００７８】
（８）ロックウェル硬度（ＨＲ、Ｒスケール）
ＪＩＳ−Ｋ−７２０２に規定された方法に従って、測定した。射出成形により成形された厚みが３．０ｍｍである試験片を用いて測定した。測定値はＲスケールで表示した。
【００７９】
（９）脆化温度（ＢＰ、単位：℃）
ＪＩＳ−Ｋ−７２１６に規定された方法に従って、測定した。射出成形により成形された２５×１５０×２ｍｍの平板から所定の６．３×３８×２ｍｍの試験片を打ち抜き、測定を行なった。
【００８０】
（１０）アイソタクチック・ペンタッド分率（［ｍｍｍｍ］）
アイソタクチック・ペンタッド分率とは、Ａ．ＺａｍｂｅｌｌｉらによってＭａｃｒｏｍｏｌｅｃｕｌｅｓ，６，９２５（１９７３）に発表されている方法、すなわち13Ｃ−ＮＭＲを使用して測定されるポリプロピレン分子鎖中のペンタッド単位でのアイソタクチック連鎖、換言すればプロピレンモノマー単位が５個連続してメソ結合した連鎖の中心にあるプロピレンモノマー単位の分率である。ただし、ＮＭＲ吸収ピークの帰属に関しては、その後発刊されたＭａｃｒｏｍｏｌｅｃｕｌｅｓ，８，６８７（１９７５）に基づいて行った。
【００８１】
具体的には13Ｃ−ＮＭＲスペクトルのメチル炭素領域の全吸収ピーク中のｍｍｍｍピークの面積分率としてアイソタクチック・ペンタッド分率を測定した。この方法により英国  ＮＡＴＩＯＮＡＬ  ＰＨＹＳＩＣＡＬ  ＬＡＢＯＲＡＴＯＲＹのＮＰＬ標準物質  ＣＲＭ  Ｎｏ．Ｍ１９−１４  Ｐｏｌｙｐｒｏｐｙｌｅｎｅ  ＰＰ／ＭＷＤ／２のアイソタクチック・ペンタッド分率を測定したところ、０．９４４であった。
【００８２】
〔射出成形体の製造−１〕
上記（４）〜（７）の物性評価用の射出成形体である試験片は、東芝機械製ＩＳ１５０Ｅ−Ｖ型射出成形機を用い、成形温度２２０℃、金型冷却温度５０℃、射出時間１５秒、冷却時間３０秒で射出成形を行って得た。
【００８３】
（１１）ウエルド及びフローマーク外観評価用射出成形体の製造
ウエルドの外観評価用の射出成形体である試験片は、次の方法に従って作成した。
射出成形機として、住友重機械工業製  ＳＥ１８０Ｄ  型締力１８０トン、金型として、１００ｍｍ×４００ｍｍ×３．０ｍｍｔ、平行２点ゲートを用いて、成形温度２２０℃で成形を実施し、図１に示した平板成形体を得た。図１において、１及び２は２点ゲート、３はウェルド、４は端面側に発生したフローマークＡ、５は中央部に発生したフローマークＢを表す。
【００８４】
（１２）ウエルド外観
前記（１１）の方法で作成した平板成形体を用いて、目視によりウエルドを観察した。図１に示したウエルドライン長さと目立ち感を観察した。この場合、ウエルドライン長さが短いほど、目立たないほど外観性能が良好であることを示す。
【００８５】
（１３）フローマーク外観
前記（１１）の方法で作成した平板成形体を用いて、目視によりフローマークを観察した。図１に示したフローマークが発生し始めるゲート端面からの距離（フローマーク発生位置Ａ（端面側の発生位置）、フローマーク発生位置Ｂ（中央部の発生位置）、単位：ｍｍ）と目立ちの程度を観察した。この場合、フローマーク発生位置が長いほど、また目立ちにくいほど、外観性能が良好であることを示す。
【００８６】
実施例および比較例で用いた重合体の製造に用いた３種類の触媒（固体触媒成分（Ｉ）、（ＩＩ）および（ＩＩＩ）の合成方法を以下に示した。
（１）固体触媒成分（Ｉ）
（１−１）還元固体生成物の合成
撹拌機、滴下ロートを備えた５００ｍｌのフラスコを窒素で置換した後、ヘキサン２９０ｍｌ、テトラブトキシチタン８．９ｍｌ（８．９ｇ、２６．１ミリモル）、フタル酸ジイソブチル３．１ｍｌ（３．３ｇ、１１．８ミリモル）およびテトラエトキシシラン８７．４ｍｌ（８１．６ｇ、３９２ミリモル）を投入し、均一溶液とした。次に、ｎ−ブチルマグネシウムクロライドのジ−ｎ−ブチルエーテル溶液（有機合成薬品社製、ｎ−ブチルマグネシウムクロライド濃度２．１ｍｍｏｌ／ｍｌ）１９９ｍｌを、フラスコ内の温度を６℃に保ちながら、滴下ロートから５時間かけて徐々に滴下した。滴下終了後、６℃でさらに１時間撹拌した後、室温でさらに１時間攪拌した。その後、固液分離し、トルエン２６０ｍｌで３回洗浄を繰り返した後、トルエンを適量加え、スラリー濃度０．１７６ｇ／ｍｌとした。固体生成物スラリーの一部をサンプリングし、組成分析を行ったところ固体生成物中にはチタン原子が１．９６重量％、フタル酸エステルが０．１２重量％、エトキシ基が３７．２重量％、ブトキシ基が２．８重量％含有されていた。
【００８７】
（１−２）固体触媒成分の合成
撹拌機、滴下ロート、温度計を備えた１００ｍｌのフラスコを窒素で置換したのち、上記（１）で得られた固体生成物を含むスラリーを５２ｍｌ投入し、上澄み液を２５．５ｍｌ抜き出しブチルエーテル０．８０ｍｌ（６．４５ミリモル）と四塩化チタン１６．０ｍｌ（０．１４６モル）の混合物を加え、ついで、フタル酸クロライド１．６ｍｌ（１１．１ミリモル：０．２０ｍｌ／１ｇ固体生成物）を加え、１１５℃まで昇温しそのまま３時間攪拌した。反応終了後、同温度で固液分離した後、同温度でトルエン４０ｍｌで２回洗浄を行った。次いで、トルエン１０．０ｍｌ、フタル酸ジイソブチル０．４５ｍｌ（１．６８ミリモル）、ブチルエーテル０．８０ｍｌ（６．４５ミリモル）、及び四塩化チタン８．０ｍｌ（０．０７３モル）の混合物を加え、１１５℃で１時間処理を行った。反応終了後、同温度で固液分離し、同温度でトルエン４０ｍｌで３回洗浄を行ったのち、ヘキサン４０ｍｌで３回洗浄し、さらに減圧乾燥して固体触媒成分７．３６ｇを得た。固体触媒成分中には、チタン原子が２．１８重量％、フタル酸エステルが１１．３７重量％、エトキシ基が０．３重量％、ブトキシ基が０．１重量％含まれていた。また、固体触媒成分を実体顕微鏡で観察したところ、微粉の無い良好な粒子性状を有していた。この固体触媒成分を、以下、固体触媒成分（Ｉ）と呼ぶ。
【００８８】
（３）固体触媒成分（ＩＩ）
２００リットルの円筒型反応器（直径０．３５ｍの攪拌羽根を３対持つ撹拌機および幅０．０５ｍの邪魔板４枚を備えた直径０．５ｍのもの）を窒素置換し、ヘキサン  ５４リットル、ジイソブチルフタレート  １００ｇ、テトラエトキシシラン  ２０．６ｋｇ及びテトラブトキシチタン  ２．２３ｋｇを投入、撹拌した。次に、前記攪拌混合物に、ブチルマグネシウムクロリドのジブチルエーテル溶液（濃度２．１モル／リットル）５１リットルを反応器内の温度を７℃に保ちながら４時間かけて滴下した。この時の攪拌回転数は１５０ｒｐｍであった。滴下終了後、２０℃で１時間撹拌したあと濾過し、得られた固体について室温下トルエン  ７０リットルでの洗浄を３回実施し、トルエンを加え、固体触媒成分前駆体スラリーを得た。該固体触媒成分前駆体は、Ｔｉ：１．９重量％、ＯＥｔ（エトキシ基）：３５．６重量％、ＯＢｕ（ブトキシ基）：３．５重量％を含有していた。その平均粒径は３９μｍであり、１６μｍ以下の微粉成分量は０．５重量％であった。次いでスラリーの体積が４９．７リットルとなるようにトルエンを抜き出し、８０℃で１時間攪拌し、その後、スラリーを４０℃以下となるように冷却し、攪拌下、テトラクロロチタン  ３０リットルと、ジブチルエーテル  １．１６ｋｇとの混合液を投入、さらにオルトフタル酸クロライド  ４．２３ｋｇを投入した。反応器内の温度を１１０℃として３時間攪拌した後、濾過し、得られた固体について９５℃にてトルエン  ９０リットルでの洗浄を３回実施した。トルエンを加え、スラリーとし、静置後、スラリーの体積が４９．７リットルとなるようにトルエンを抜き出し、攪拌下、テトラクロロチタン  １５リットルと、ジブチルエーテル  １．１６ｋｇと、ジイソブチルフタレート  ０．８７ｋｇとの混合液を投入した。反応器内の温度を１０５℃として１時間攪拌した後、濾過し、得られた固体について９５℃にてトルエン  ９０リットルでの洗浄を２回実施した。トルエンを加え、スラリーとし、静置後、スラリーの体積が４９．７リットルとなるようにトルエンを抜き出し、攪拌下、テトラクロロチタン  １５リットルと、ジブチルエーテル  １．１６ｋｇとの混合液を投入した。反応器内の温度を１０５℃として１時間攪拌した後、濾過し、得られた固体について９５℃にてトルエン  ９０リットルでの洗浄を２回実施した。トルエンを加え、スラリーとし、静置後、スラリーの体積が４９．７リットルとなるようにトルエンを抜き出し、攪拌下、テトラクロロチタン  １５リットルと、ジブチルエーテル  １．１６ｋｇとの混合液を投入した。反応器内の温度を１０５℃として１時間攪拌した後、濾過し、得られた固体について９５℃にてトルエン  ９０リットルでの洗浄を３回、ヘキサン  ９０リットルでの洗浄を２回実施した。得られた固体成分を乾燥し、固体触媒成分を得た。該固体触媒成分は、Ｔｉ：２．１重量％、フタル酸エステル成分：１０．８重量％を含有していた。この固体触媒成分を、以下固体触媒成分（ＩＩ）と呼ぶ。
【００８９】
（４）固体触媒成分（ＩＩＩ）
攪拌機付きの２００ＬＳＵＳ製反応容器を窒素で置換した後、ヘキサン８０Ｌ、テトラブトキシチタン６．５５モル、フタル酸ジイソブチル２．８モル、およびテトラエトキシシラン９８．９モルを投入し均一溶液とした。次に濃度２．１モル／Ｌのブチルマグネシウムクロリドのジイソブチルエーテル溶液５１Ｌを、反応容器内の温度を５℃に保ちながら５時間かけて徐々に滴下した。滴下終了後５℃で１時間、室温でさらに１時間攪拌した後、室温で固液分離し、トルエン７０Ｌで３回洗浄を繰り返した。次いで、スラリー濃度が０．２Ｋｇ／Ｌになるようにトルエン量を調整した後、１０５℃で１時間攪拌した。その後、９５℃まで冷却し、フタル酸ジイソブチル４７．６モル加え、９５℃で３０分間反応を行った。反応後固液分離し、トルエンで２回洗浄を行った。次いで、スラリー濃度が０．４Ｋｇ／Ｌになるようにトルエン量を調節後、フタル酸ジイソブチル３．１モル、ｎ−ジブチルエーテル８．９モル及び四塩化チタン２７４モルを加え、１０５℃で３時間反応を行った。反応終了後、同温度で固液分離した後、同温度でトルエン９０Ｌで２回洗浄を行った。スラリー濃度が０．４Ｋｇ／Ｌになるようにトルエン量を調節後、ｎ−ジブチルエーテル８．９モル及び四塩化チタン１３７モルを加え、１０５℃で１時間反応を行った。反応終了後、同温度で固液分離し同温度でトルエン９０Ｌで３回洗浄を行った後、さらにヘキサン７０Ｌで３回洗浄した後減圧乾燥して固体触媒成分１１．４Ｋｇを得た。固体触媒成分はチタン原子１．８３重量％、フタル酸エステル８．４重量％、エトキシ基０．３０重量％、ブトキシ基０．２０重量％を含有していた。この固体触媒成分を、以下固体触媒成分（ＩＩＩ）と呼ぶ。
【００９０】
〔重合体の重合〕
（１）プロピレン単独重合体（ＨＰＰ）の重合
（１−１）ＨＰＰ−１の重合
（１−１ａ）予備重合
ＳＵＳ製３Ｌ攪拌機付きオートクレーブにおいて、充分に脱水，脱気したヘキサン１Ｌにトリエチルアルミニウム（以下ＴＥＡと略す）２５ｍｍｏｌ／Ｌ、電子供与体成分としてｔ−ブチル−ｎ−プロピルジメトキシシラン（以下ｔＢｕｎＰｒＤＭＳと略す。）をｔＢｕｎＰｒＤＭＳ／ＴＥＡ＝０．１（ｍｏｌ／ｍｏｌ）および固体触媒成分（ＩＩ）を１５．６ｇ／Ｌを添加し、１５℃以下の温度を保持しながらプロピレンを固体触媒当たり２．５ｇ／ｇに達するまで連続的に供給し予備重合を実施した。得られた予備重合体スラリーは１２０ＬのＳＵＳ製攪拌機付きの希釈槽へ移送し充分に精製された液状ブタンを加えて希釈し１０℃以下の温度で保存した。
【００９１】
（１−１ｂ）本重合
内容積１ｍ3の攪拌機付き流動床反応器において、重合温度７０℃、重合圧力１．８ＭＰａ−Ｇ、気相部の水素濃度を対プロピレン比で１１．７ｖｏｌ％を保持するようにプロピレンと水素を供給し、ＴＥＡを４２ｍｍｏｌ／ｈ、ｔＢｕｎＰｒＤＭＳを１２．３ｍｍｏｌ／ｈおよび（１−１ａ）で作成した予備重合体スラリーを固体触媒成分として１．２８ｇ／ｈを連続的に供給して連続の気相重合を行い、２０．７Ｋｇ／ｈの重合体を得た。得られたポリマーの極限粘度［η］Pは１．０８ｄｌ／ｇ、アイソタクチック・ペンタッド分率は０．９８７であった。またＭＦＲは５６ｇ／１０分であった。
【００９２】
（１−２）ＨＰＰ−２の重合
（１−２ａ）予備重合
固体触媒成分を固体触媒成分（Ｉ）とした以外は、ＨＰＰ−１と同様の方法で実施した。
（１−２ｂ）本重合
本重合における気相部の水素濃度と固体触媒成分の供給量を調整した以外はＨＰＰ−１と同様の方法で実施した。得られたポリマーの極限粘度［η］Pは０．９２ｄｌ／ｇであった。
【００９３】
（２）プロピレン−エチレンブロック共重合体（ＢＣＰＰ）の重合
（２−１）ＢＣＰＰ−１の重合
内容積４５及び３２ｍ3の攪拌機及びジャケット付きのＳＵＳ製反応器５槽をプロピレンで十分置換し、第一槽圧力をプロピレンで０．５ｋｇ／ｃｍ2Ｇに調整し、ｎ−ヘプタンを２０ｍ3張る。攪拌機起動後、トリエチルアルミニウム５０モル及びシクロヘキシルエチルジメトキシシラン７．５モルを投入し、該反応器の内温を６０〜７５℃に昇温したのち、プロピレンで反応圧力を４〜８ｋｇ／ｃｍ2Ｇに昇圧する。水素濃度を６〜８％に保つよう水素を投入後、固体触媒成分（ＩＩＩ）を供給し重合を開始した。同時にトリエチルアルミニウム２．５〜３．０ｋｇ／Ｈ（約２４〜２５ｍｏｌ／Ｈ）、の供給を開始した。反応開始後、槽内の安定を確認して反応圧力を目標の４．５〜９．０ｋｇ／ｃｍ2Ｇまで昇圧し、気相部の水素濃度を８〜１０％に保つように供給しながら重合を継続した。生成した重合スラリーは次の反応槽に抜き出され、設定した条件にて引き続き重合継続した。合計５槽の連続した反応槽にて結晶性ポリプロピレン部分（以下Ｐ部と省略する）の重合を継続した。Ｐ部のポリマーをサンプリングし分析した結果、極限粘度〔η〕Pは０．９３ｄｌ／ｇであった。
引き続いて、プロピレン及びエチレンにより６〜８番目の反応槽の反応圧力を２〜４ｋｇ／ｃｍ2Ｇに昇圧しエチレン−プロピレン共重合部（以下ＥＰ部と省略する）の重合を開始し、反応温度６０℃で反応圧力を２〜４ｋｇ／ｃｍ2Ｇに保ちながらプロピレン／エチレンの混合ガスを連続的に供給し、気相部の水素濃度が０．１〜０．２％に保たれるように調整しながらＥＰ部の重合を継続した。生成した重合スラリーは次の反応槽に抜き出され、設定した条件にて引き続き重合継続した。合計３槽の連続した反応槽にてＥＰ部の重合を継続した。  反応器内のポリマースラリーの全量を失活槽へ導き、未反応モノマーを分離、水で失活処理を行った後、該ポリマースラリーを遠心分離することにより固体ポリマーを回収し、ドライヤーにて乾燥して粉末状白色パウダーを得た。
最終的に得られたプロピレン−エチレンブロック共重合体全体の極限粘度（［η］T）は１．３９ｄｌ／ｇであった。分析の結果プロピレン−エチレンランダム共重合体含量（ＥＰ含量）は１０重量％であったので、第三槽で生成したプロピレン−エチレンランダム共重合体成分（ＥＰ部）の極限粘度［η］EPは５．５ｄｌ／ｇであった。又、分析の結果ＥＰ部でのエチレン含量は４０重量％、立体規則性（ｍｍｍｍ分率）は０．９７４であった。またＭＦＲは５０ｇ／１０分であった。
【００９４】
（２−１）ＢＣＰＰ−２の重合
内容積０．３６ｍ3のＳＵＳ製ループ型液相重合反応器をプロピレンで十分置換したのち、トリエチルアルミニウム０．１０５ｍｏｌ／時間及びｔ−ブチルｎ−プロピルジメトキシシラン０．００５７ｍｏｌ／時間を供給し、さらに内温を４５〜５５℃、圧力をプロピレン及び水素で３．３〜３．４ＭＰａＧに調整し、固体触媒成分（ＩＩ）０．０４０〜０．０５０ｋｇ／時間を連続して供給して重合を開始した。ループ型液相重合反応器で生成された重合体は気相重合反応器へ抜き出される。気相重合反応器は３槽で構成され、第１槽（内容積が４５．７５ｍ3）は反応温度７０℃で反応圧力１．９ＭＰａＧを保つようにプロピレンを連続的に供給し、気相部の水素濃度を１７．５〜１８．５ｖｏｌ％に保つように供給しながらプロピレン単独重合体成分の気相重合を継続した。ついで、この第一槽で重合したプロピレン単独重合体成分を断続的に第二槽へ導入した。第二槽（内容積が２２．６８ｍ3）は反応温度７０℃で反応圧力１．５ＭＰａＧを保つようにプロピレンを連続的に供給し、気相部の水素濃度を１７．５〜１８．５ｖｏｌ％に保つように供給しながら気相重合を継続し、プロピレン単独重合体成分（以下、重合体成分（Ｉ）と省略する）を生成した。ついで、この第二槽で重合したプロピレン単独重合体成分（重合体成分（Ｉ））を断続的に第三槽へ導入した。第三槽（内容積が４０．５９ｍ3）は反応温度７０℃で反応圧力１．１ＭＰａＧを保つようにプロピレンを連続的に供給し、気相部の水素濃度を２．５〜３．５ｖｏｌ％、気相部のエチレン濃度を２４〜２５ｖｏｌ％に保つように供給しながらエチレン−プロピレン共重合体成分（以下、重合体成分（ＩＩ）と省略する）の気相重合を継続した。ついで、反応器内（第三槽）の重合体成分（Ｉ）と重合体成分（ＩＩ）からなる粉末を断続的に失活槽へ導き、水で触媒成分の失活処理を行った後、該粉末を８０℃の窒素により乾燥して、プロピレン−エチレンブロック共重合体からなる白色の粉末状パウダーを得た。
第二槽で重合した重合体成分（Ｉ）を少量採取して分析した結果、この重合体成分（Ｉ）の極限粘度（［η］I）は０．９０ｄｌ／ｇであり、立体規則性（ｍｍｍｍ分率）は０．９８３であった。最終的に得られたプロピレン−エチレンブロック共重合体全体の極限粘度（［η］Total）は１．３４ｄｌ／ｇであった。分析の結果プロピレン−エチレンランダム共重合体含量（ＥＰ含量）は２６．５重量％であったので、第三槽で生成したプロピレン−エチレンランダム共重合体成分（ＥＰ部）の極限粘度［η］EPは２．６ｄｌ／ｇであった。又、分析の結果ＥＰ部でのエチレン含量は４１重量％であった。得られた重合体の分析結果を表１に示した。押し出し機を用いてパウダー１００重量部に、安定剤としてステアリン酸カルシウム（日本油脂製）０．０５重量部、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン（スミライザーＧＡ８０、住友化学製）０．０５重量部、ビス（２，４−ジ−ｔ−ブチルフェニル）ペンタエリスリトールジフォスファイト（ウルトラノックスＵ６２６、ＧＥスペシャリティーケミカルズ製）０．０５重量部を添加し造粒したペレットのＭＦＲは３６５０ｇ／１０分であった。
【００９５】
実施例１
ＢＣＰＰ―１パウダー４０重量％、ＢＣＰＰ―２ペレット９．７重量％、プロピレン単独重合体（ＨＰＰ―１）パウダー１０重量％、エチレン−α−オレフィン共重合体ゴム（Ｂ）としてエチレン−ブテン−１ランダム共重合体ゴム  ＥＢＲ−１（三井化学（株）製タフマーＡ０２５０：密度０．８６１ｇ／ｃｍ3、ＭＦＲ（２３０℃、２．１６ｋｇ荷重）ｇ／１０分）は０．４６であった。）を１９重量％、無機充填材（Ｃ）として平均粒子径２．７μｍのタルク（林化成社製、商品名：ＭＷＨＳＴ）２１．３重量％の組成割合で配合し、タンブラーで均一に予備混合した後、二軸混練押出機（日本製鋼所社製ＴＥＸ４４ＳＳ−３０ＢＷ−２Ｖ型）を用いて、押し出し量５０ｋｇ／ｈｒ、２３０℃、スクリュー回転数を３５０ｒｐｍで混練押出して、ポリプロピレン系樹脂組成物を製造した。
表１に各成分の配合割合と造粒して得られたポリプロピレン系樹脂組成物のＭＦＲ、射出成形品の物性とウエルド外観及びフローマーク外観の評価結果を示した。
【００９６】
実施例−２、比較例−１
表１に示したプロピレン−エチレンブロック共重合体（ＢＣＰＰ）とプロピレン単独重合体（ＨＰＰ）に変更した以外は、実施例−１と同様の処理を行いＭＦＲと射出成形品の物性を測定し、射出成形品のウエルド外観及びフローマーク外観を評価した。表２に評価結果を示した。
【００９７】
実施例−３
表１に示したプロピレン−エチレンブロック共重合体（ＢＣＰＰ）とプロピレン単独重合体（ＨＰＰ）に変更し、エチレン−α−オレフィン共重合体ゴム（Ｂ）としてエチレン−ブテン−１ランダム共重合体ゴムＥＢＲ−１（三井化学（株）製タフマーＡ０２５０：密度０．８６１ｇ／ｃｍ3、ＭＦＲ（２３０℃、２．１６ｋｇ荷重）ｇ／１０分）は０．４６であった。）を１０重量％、エチレン−ブテン−１ランダム共重合体ゴムＥＢＲ−２（三井化学（株）製タフマーＡ０５５０：密度０．８６１ｇ／ｃｍ3、ＭＦＲ（２３０℃、２．１６ｋｇ荷重）ｇ／１０分）は０．９４であった。）を９重量％とした以外は実施例−１と同様の処理を行いＭＦＲと射出成形品の物性を測定し、射出成形品のウエルド外観及びフローマーク外観を評価した。表２に評価結果を示した。
【００９８】
比較例−２
表１に示したプロピレン−エチレンブロック共重合体（ＢＣＰＰ）とプロピレン単独重合体（ＨＰＰ）に変更した以外は実施例−３と同様の処理を行いＭＦＲと射出成形品の物性を測定し、射出成形品のウエルド外観と及びフローマーク外観を評価した。表２に評価結果を示した。
【００９９】
【表１】
2006193644.tif 000002
＊１）ウエルドの目視による目立ち易さ
○：ウエルドが目立たなかった。
×：ウエルドが目立った。
＊２）フローマークの目視による目立ち易さ
○：フローマークが目立たなかった。
△：フローマークがやや目立った。
×：フローマークが目立った。
【０１００】
本発明の要件を満足する実施例−１〜３であるポリプロピレン系樹脂組成物およびそれからなる成形体は、ウエルド外観とフローマーク外観に優れ、かつ、流動性に優れ、高い剛性と耐衝撃性の良好なバランスを有するものであることが分かる。
【０１０１】
比較例−１、−２は、ポリプロピレン樹脂のプロピレン−エチレンランダム共重合体部分の極限粘度［η］EPが本発明の要件を満足しないため、フローマーク外観が十分でなく、剛性と靭性、耐衝撃性のバランスが十分でないことが分かる。
【０１０２】
本発明のポリプロピレン樹脂組成物は、自動車内外装部品等の高い品質が望まれる分野に使用することが出来る。
【図面の簡単な説明】
【０１０３】
【図１】外観を評価するための平板成形体の平面図を示す。
【符号の説明】
【０１０４】
１  ゲート１
２  ゲート２
３  ウエルド
４  フローマークＡ
５  フローマークＢ
【図１】
2006193644.tif 000003